(57)【要約】【課題】受信機器が再生可能なオーディオフォーマットのオーディオストリームを含むコンテンツに適用された複数のコーデックから受信機器に最良のコーデックを選択して受信機器に出力する。【解決手段】  この発明の実施の形態により実現される動画像およびオーディオ再生装置は、コンテンツに含まれるオーディオストリームのエレメンタリストリーム（Ｅｌｅｍｅｎｔａｒｙ  Ｓｔｒｅａｍ）の構成及びそのエレメンタリストリームの設定を抽出するブロック（９）と、抽出ブロックによって抽出したオーディオストリームにおけるエレメンタリストリーム（Ｅｌｅｍｅｎｔａｒｙ  Ｓｔｒｅａｍ）の構成及びエレメンタリストリームの設定に従い、オーディオストリームを再生する信号処理部（１１）と、を含む。【選択図】  図１
2009111882.tif 000002
【特許請求の範囲】
【請求項１】
コンテンツに含まれるオーディオストリームのエレメンタリストリーム（Ｅｌｅｍｅｎｔａｒｙ  Ｓｔｒｅａｍ）の構成及びそのエレメンタリストリームの設定を抽出する手段と、
前記抽出する手段によって抽出したオーディオストリームにおけるエレメンタリストリーム（Ｅｌｅｍｅｎｔａｒｙ  Ｓｔｒｅａｍ）の構成及びエレメンタリストリームの設定に従い、オーディオストリームを再生する手段と、
を有することを特徴とする動画像およびオーディオ再生装置。
【請求項２】
前記抽出する手段は、エレメンタリストリーム（Ｅｌｅｍｅｎｔａｒｙ  Ｓｔｒｅａｍ）に記載された数値に基づいて、設定されているオーディオストリームのオーディオフォーマットを検出することを特徴とする請求項１記載の動画像およびオーディオ再生装置。
【請求項３】
前記抽出する手段は、エレメンタリストリーム（Ｅｌｅｍｅｎｔａｒｙ  Ｓｔｒｅａｍ）に記載されているオーディオコーディングモード（Ａｕｄｉｏ  ｃｏｄｉｎｇ  ｍｏｄｅ）に基づいて、設定されているオーディオストリームのオーディオフォーマットを検出することを特徴とする請求項１記載の動画像およびオーディオ再生装置。
【請求項４】
前記再生する手段により再生されたオーディオストリームをデコードせずに受信機器に送信する送信機器をさらに含むことを特徴とする請求項１記載の動画像およびオーディオ再生装置。
【請求項５】
前記再生する手段は、前記抽出する手段によって抽出したオーディオストリームにおけるエレメンタリストリーム（Ｅｌｅｍｅｎｔａｒｙ  Ｓｔｒｅａｍ）の構成及びエレメンタリストリームの設定から選択されたオーディオストリームを識別して、前記送信機器を介して出力するオーディオフォーマットを切換えることを特徴とする請求項４記載の動画像およびオーディオ再生装置。
【請求項６】
コンテンツに含まれるビデオタイトルセットインフォメーション（Ｖｉｄｅｏ  Ｔｉｔｌｅ  Ｓｅｔ  Ｉｎｆｏｒｍａｔｉｏｎ，ＶＴＳＩ）内のオーディオストリームアトリビュート（Ａｕｄｉｏ  Ｓｔｒｅａｍ  Ａｔｔｒｉｂｕｔｅ）に、サブアトリビュート（Ｓｕｂ  Ａｔｔｒｉｂｕｔｅ）が存在するか否かをチェックする抽出手段と、
前記抽出手段によって抽出したオーディオストリームを再生する再生手段と、
前記再生手段により再生されたオーディオストリームを受信機器に送信する送信機器と、
前記抽出手段により抽出されたサブアトリビュート（Ｓｕｂ  Ａｔｔｒｉｂｕｔｅ）のオーディオ符号化モード（Ａｕｄｉｏ  Ｃｏｄｉｎｇ  Ｍｏｄｅ，オーディオフォーマット）の設定からオーディオストリームを識別して、前記送信機器に出力するコンテンツのオーディオストリームのオーディオフォーマットを切換える切換手段と、
を有することを特徴とする動画像およびオーディオ再生装置。
【請求項７】
前記切換手段は、前記抽出手段により抽出されたサブアトリビュート（Ｓｕｂ  Ａｔｔｒｉｂｕｔｅ）のオーディオ符号化モード（Ａｕｄｉｏ  Ｃｏｄｉｎｇ  Ｍｏｄｅ，オーディオと予め取得したオーディオストリームのエレメンタリストリーム（Ｅｌｅｍｅｎｔａｒｙ  Ｓｔｒｅａｍ）として設定されているオーディオフォーマットの情報とを比較し、両者が一致しない場合には、エレメンタリストリーム（Ｅｌｅｍｅｎｔａｒｙ  Ｓｔｒｅａｍ）として設定されている情報を優先させることを特徴とする請求項６記載の動画像およびオーディオ再生装置。
【請求項８】
コンテンツに含まれるオーディオストリームのエレメンタリストリーム（Ｅｌｅｍｅｎｔａｒｙ  Ｓｔｒｅａｍ）の構成及びそのエレメンタリストリームの設定を抽出し、
抽出されたオーディオストリームにおけるエレメンタリストリーム（Ｅｌｅｍｅｎｔａｒｙ  Ｓｔｒｅａｍ）の構成及びエレメンタリストリームの設定に従い、オーディオストリームを再生するをことを特徴とする動画像およびオーディオ再生方法。
【請求項９】
エレメンタリストリーム（Ｅｌｅｍｅｎｔａｒｙ  Ｓｔｒｅａｍ）の構成及びそのエレメンタリストリームの設定の抽出は、エレメンタリストリーム（Ｅｌｅｍｅｎｔａｒｙ  Ｓｔｒｅａｍ）に記載された数値の検出である請求項８記載の動画像およびオーディオ再生方法。
【請求項１０】
エレメンタリストリーム（Ｅｌｅｍｅｎｔａｒｙ  Ｓｔｒｅａｍ）の構成及びそのエレメンタリストリームの設定の抽出は、エレメンタリストリーム（Ｅｌｅｍｅｎｔａｒｙ  Ｓｔｒｅａｍ）に記載されているオーディオコーディングモード（Ａｕｄｉｏ  ｃｏｄｉｎｇ  ｍｏｄｅ）に基づいて、設定されているオーディオストリームのオーディオフォーマットの検出である請求項８記載の動画像およびオーディオ再生方法。
【請求項１１】
コンテンツに含まれるビデオタイトルセットインフォメーション（Ｖｉｄｅｏ  Ｔｉｔｌｅ  Ｓｅｔ  Ｉｎｆｏｒｍａｔｉｏｎ，ＶＴＳＩ）内のオーディオストリームアトリビュート（Ａｕｄｉｏ  Ｓｔｒｅａｍ  Ａｔｔｒｉｂｕｔｅ）内のサブアトリビュート（Ｓｕｂ  Ａｔｔｒｉｂｕｔｅ）を抽出し、
抽出されたサブアトリビュート（Ｓｕｂ  Ａｔｔｒｉｂｕｔｅ）のオーディオ符号化モード（Ａｕｄｉｏ  Ｃｏｄｉｎｇ  Ｍｏｄｅ，オーディオフォーマット）の設定からオーディオストリームを識別して、送信機器に出力するコンテンツのオーディオストリームのオーディオフォーマットを切換えることを特徴とする動画像およびオーディオ再生方法。
【発明の詳細な説明】
【技術分野】
【０００１】
この発明は、複数のコーデック（圧縮方法）により圧縮された任意のストリームを再生する際に、接続される受信機器に対して最良のコーデックの構成および設定を出力できる動画像およびオーディオ再生装置およびオーディオ再生方法に関する。
【背景技術】
【０００２】
記録媒体に保持（記録）される動画（映像）情報や音声（音楽／オーディオ）情報は、多くの場合、記録容量を低減する目的により、さまざまな方式（コーデック）により圧縮され、再生時に伸長（デコード）される。
【０００３】
光ディスクを記録媒体として提供されるコンテンツは、複数のストリームからなり、各ストリームにおいて異なるコーデックにより圧縮されることもある。
【０００４】
記録媒体として広く利用される光ディスクとしては、主として音楽データの記録に利用されるＣＤ規格や、ＣＤ規格に比較して６倍を超える記録容量が与えられ、主として映像（動画）および音声（オーディオ）の記録に利用されるＤＶＤ規格の光ディスクが、広く普及している。
【０００５】
なお、ＤＶＤ規格を発展させ、ＤＶＤ規格に比較してさらに５倍程度の記録容量が与えられたＨＤ（Ｈｉｇｈ−Ｄｅｆｉｎｉｔｉｏｎ）  ＤＶＤ規格の光ディスクも既に実用化されている。
【０００６】
一方で、光ディスクに記録されている情報を再生する再生装置すなわちプレーヤー装置としては、例えばＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）に代表される双方向通信インタフェースが搭載されて、光ディスクに収容されているコンテンツ（プログラムやプレイリストを含む）から映像（動画）情報および音声（オーディオ）情報を再生する際に、プレーヤー装置と接続された受信機器、例えばＡＶコントローラ（およびそれに接続されたスピーカー）やテレビ受像機（モニタ装置）の接続の有無や、接続された受信機器の再生能力を検出できるものが実用化されている。
【０００７】
特許文献１には、コンテンツに含まれる複数のオーディオストリームにおける複数のオーディオコーデックの構成および各オーディオコーデックの設定を抽出し、その抽出した複数のオーディオストリームにおける複数のオーディオコーデックの構成および各オーディオコーデックの設定を一覧表示するための表示信号を、ビデオ出力する動画像再生装置が示されている。
【特許文献１】特開２００７−１８０６１２
【発明の開示】
【発明が解決しようとする課題】
【０００８】
しかしながら、特許文献１に記載された動画像再生装置は、コンテンツに含まれる複数のオーディオストリームにおける複数のオーディオコーデックの構成および各オーディオコーデックの設定を抽出した結果すなわち抽出した複数のオーディオストリームにおける複数のオーディオコーデックの構成および各オーディオコーデックの設定を一覧表示するのみであり、再生装置に接続されている受信機器すなわちＡＶコントローラやテレビ受像機の再生能力を確認した後、一覧表示された再生の能力に合わせてオーディオコーデックを設定することが要求される。
【０００９】
従って、設定されているコーデックによっては、    
ａ）希望する（コーデックの）オーディオが再生できない    
ｂ）より上位のコーデックを選択できるにも拘らず、余力を残した状態でオーディオが再生される（もう少しビットレートの高い音質でオーディオが再生可能）    
等の問題が残る。
【００１０】
また、    
ｃ）受信機器の再生能力を把握し、プレーヤー装置（動画像音声再生装置）の設定を変えることが必要になる    
等の問題がある。
【００１１】
この発明の目的は、受信機器（オーディオ再生装置）が再生可能なオーディオフォーマットのオーディオストリームを含むコンテンツに適用された複数のコーデックから、受信機器に最良のコーデックを選択して受信機器に出力する動画像およびオーディオ再生装置およびオーディオ再生方法を提供することである。
【課題を解決するための手段】
【００１２】
この発明は、上記問題点に基づきなされたもので、コンテンツに含まれるオーディオストリームのエレメンタリストリーム（Ｅｌｅｍｅｎｔａｒｙ  Ｓｔｒｅａｍ）の構成及びそのエレメンタリストリームの設定を抽出する手段と、前記抽出する手段によって抽出したオーディオストリームにおけるエレメンタリストリーム（Ｅｌｅｍｅｎｔａｒｙ  Ｓｔｒｅａｍ）の構成及びエレメンタリストリームの設定に従い、オーディオストリームを再生する手段と、を有することを特徴とする動画像およびオーディオ再生装置である。
【発明の効果】
【００１３】
この発明によれば、動画像再生装置（または記録も可能なレコーダー装置）において、ビットストリーム出力であるＨＢＲオーディオ（Ｈｉｇｈ−Ｂｉｔｓ  Ｒａｔｅ  Ａｕｄｉｏ）出力を、ＨＤＭＩ  インターフェースを用いてテレビ装置やオーディオアンプ等の受信機器に供給（出力）する場合、Ｄｏｌｂｙ社が推奨する［Ｄｏｌｂｙ  Ｄｉｇｉｔａｌ  ｐｌｕｓ（ＤＤ＋）］やＤＴＳ社が推奨する［ＤＴＳ−ＨＤ  Ｈｉｇｈ  Ｒｅｓｏｌｕｔｉｏｎ  Ａｕｄｉｏ（ＤＴＳ−ＨＤ  ＨＩ  ＲＥＳ）］／［ＤＴＳ−ＨＤ  Ｍａｓｔｅｒ  Ａｕｄｉｏ（ＤＴＳ−ＨＤ  ＭＳＴＲ）］等に代表されるＨＢＲオーディオ出力フォーマットを、本来のフォーマットに基づいて、適正に再生可能となる。すなわち、オーディオストリーム情報をエレメンタリストリーム（Ｅｌｅｍｅｎｔａｒｙ  Ｓｔｒｅａｍ）もしくはエレメンタリストリームのヘッダー（Ｈｅａｄｅｒ）Ｅ情報から取得し、取得した情報を利用して、受信機器に送信／出力するオーディオフォーマットを、ストリームに応じてできる。なお、オーディオフォーマットは、ユーザが任意に変更することもできる。
【００１４】
また、例えばＡＶレシーバー（オーディオアンプ）に、オーディオストリームの名称が表示可能な表示領域、あるいはＬＥＤ等のマーカー類が用意されている場合には、正確なオーディオストリームの名称を表示できる。
【００１５】
さらに、接続された機器の音声再生能力に合わせて、音声仕様（音声フォーマット）を設定する必要がなくなり、にコンテンツに含まれる最良のオーディオ出力が再生される。
【発明を実施するための最良の形態】
【００１６】
以下、図面を参照して、本発明の実施の形態の一例について説明する。
【００１７】
図１は、この発明の実施の形態が適用可能な動画像およびオーディオ再生装置（プレーヤー装置）の一例を示す。なお、本発明による動画像およびオーディオ再生装置は、プレーヤー装置に限定されるものではなく、映像及び音声が記録可能なレコーダー装置やビデオカメラ等も含まれる。もちろん、パーソナルコンピュータ（ＰＣ）もしくはＰＣに接続可能なディスクドライブ装置や自動車等に搭載されるナビゲーション装置であってもよいことはいうまでもない。また、動画像およびオーディオ再生装置は、接続されるＴＶ（テレビジョン）受信機やＴＶ放送等を表示可能なモニタ装置、もしくはＡＶ（Ａｕｄｉｏ−Ｖｉｄｅｏ）アンプ（コントローラ）に対しては、信号伝送装置（送信装置）としての機能を提供することから、単に送信装置（または送受信装置）と呼ばれることもある。
【００１８】
図１に示す映像音声再生装置（動画像およびオーディオ再生装置）１は、記録媒体、例えばＨＤ規格のＤＶＤディスク（Ｈｉｇｈ  Ｄｅｆｉｎｉｔｉｏｎ  Ｄｉｇｉｔａｌ  Ｖｅｒｓａｔｉｌｅ  Ｄｉｓｃ，以下、ＨＤ  ＤＶＤと略称する）規格の光ディスク（ＨＤ  ＤＶＤディスク）Ｍがセットされることで光ディスクＭに収容されている情報を再生するディスクドライブユニット３、図示しないが、例えば無線式や赤外線式のリモート端末によりユーザから指示される操作信号を受け入れるユーザ操作入力部５、映像音声再生装置１に接続される受信機器との間で双方向の通信（信号の受け渡し）が可能なＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）インタフェース部（ＨＤＭＩ  Ｔｘ）７、および上述したディスクドライブユニット３、ユーザ操作入力部５ならびにＨＤＭＩ  Ｔｘ７の少なくとも１の動作とそれら相互間の信号の受け渡しを制御する制御ブロック９を含む。
【００１９】
なお、ディスクドライブユニット３は、ＨＤ  ＤＶＤ規格のディスクに加え、現在広く利用されているＤＶＤ規格の光ディスクやＣＤ規格の光ディスクからも、記録されている情報（コンテンツ）が再生可能であることはいうまでもない。また、ディスクドライブユニット３は、任意の規格の光ディスクに情報（コンテンツ）を記録できる記録再生タイプであってもよいことはいうまでもない。
【００２０】
ディスクドライブユニット３は、光ディスクに記録されているデータ（プリピット（エンボスピット）または記録マーク列）を光の明暗または反射率の違いとして検出して符号化（２値化）し、光ディスクに記録されているコンテンツとして再生するデジタル信号処理部（ＤＳＰ）１１を介して制御ブロック９と接続されている。なお、ディスクドライブユニット３は、セットされた光ディスクに対してデータを書き込むことのできる記録再生タイプである場合、記録すべきデータに基づいて２値化された書き込み信号が供給されることで、光ディスクに情報を記録する（書き込む）ことができる。
【００２１】
信号処理部（ＤＳＰ）１１は、ビデオデコーダー部１３、オーディオデコーダー部１５および、例えばＨＤＭＩ１．３およびＩＥＣ６１９３７に準拠したＨＢＲオーディオ処理部１７を介してＨＤＭＩ  Ｔｘ７と接続されている。また、オーディオデコーダー部１５およびＨＢＲオーディオ処理部１７のそれぞれとＨＤＭＩ  Ｔｘ７との間には、セレクター（切換器）１９が設けられ、ＨＤＭＩ  Ｔｘ７とは、切換器１９の切り換えにより、いずれか一方のみが接続される（２つのオーディオデコーダー部が同時にＨＤＭＩ  Ｔｘ７と接続されることはない）。なお、切換器１９として、説明のため、ハード的な要素としてブロックで示しているが、制御ユニット９のソフトウエアとして実現されてもよいことはいうまでもない。なお、ＨＤＭＩ  Ｔｘ７は、接続されるＴＶ（テレビジョン）受信機（テレビ装置）や、ＴＶ放送等を表示可能なモニタ装置および同時に利用されることの多いＡＶ（Ａｕｄｉｏ−Ｖｉｄｅｏ）アンプ（コントローラ）に対して、送信装置としての機能の他に、ＥＤＩＤ（Ｅｘｔｅｎｄｅｄ  Ｄｉｓｐｌａｙ  Ｉｄｅｎｔｉｆｉｃａｔｉｏｎ  Ｄａｔａ）に基づいて、受信機器のオーディオ（映像）再生能力に関する情報を取得できる。
【００２２】
制御ブロック９は、詳述しないがＣＰＵまたはＭＰＵ（主制御ユニット）を含み、ＣＰＵまたはＭＰＵにより制御されるオーディオストリーム選択処理部９−１、オーディオストリーム設定抽出処理部９−３、エレメンタリストリーム（Ｅｌｅｍｅｎｔａｒｙ  Ｓｔｒｅａｍ）設定抽出処理部９−５、オーディオフォーマット切換処理部９−７、およびオーディオストリーム設定とエレメンタリストリーム設定とを比較する比較処理部９−９を、少なくとも含む。なお、制御ブロック９には、ワークメモリとして機能するメインメモリ（ＳＤＲＡＭ）２１、図示しないチューナ部もしくは外部入力を経由して入力される地上および衛星からのデジタル放送波等の任意の番組やコンテンツ群、図示しないネットワークコントローラを介して外部のネットワークから供給されるデータ群（コンテンツ（プレイリストと関連づけられた任意数のシーンやストリーム群））を記憶する図示しないＨＤＤ（ハードディスクメモリドライブ）等も接続されている。
【００２３】
ＤＳＰ（信号処理部）１１は、制御ブロック９の制御の下で、周知のパケタイズドストリーム（Ｐａｃｋｅｔｉｚｅｄ  ｓｔｒｅａｍ，以降“ＰＳ”と称する）と呼ばれるデータ形式の映像データおよびオーディオデータと、ＴＳ（Ｔｒａｎｓｐｏｒｔ  ｓｔｒｅａｍ，以降“ＴＳ”と称する）形式であるデジタル放送波の映像データおよびオーディオデータを処理できる。
【００２４】
ＰＳには、映像（ビデオ）と音声（オーディオ）およびその他の制御データが、時分割多重されている。さらに、映像（ビデオ）と音声（オーディオ）は、それぞれ送信すべきデータ量を低減する目的で圧縮された形態で送られてきている。また、データの多くは、ビデオデータであり、例えばＨ．２６４、ＶＣ−１、ＭＰＥＧ２、ＭＰＥＧ４  ＡＶＣ（単に、ＡＶＣと称されることも多い）と呼ばれる規格により圧縮されている。
【００２５】
オーディオ信号としては、上述のデータ形式に加え、デコード（復号）を伴わず、ＨＤＭＩ  Ｔｘ７から受信機器すなわちテレビ受信装置やＡＶアンプに供給されるハイビットレートオーディオ（Ｈｉｇｈ−Ｂｉｔｓ  Ｒａｔｅ  Ａｕｄｉｏ，以下ＨＢＲオーディオと示す）がある。
【００２６】
上述した映像音声再生装置１においては、ビデオ信号すなわち映像は、ＨＤＭＩ  Ｔｘ７を経由して、ＡＶ（Ａｕｄｉｏ  Ｖｉｄｅｏ）レシーバーや一般的なＴＶ（テレビ）装置（スピーカーあり）、あるいは液晶ディスプレイやＣＲＴに代表されるモニタ装置に出力される。
【００２７】
これに対し、オーディオ信号は、復号なしでＨＢＲオーディオ変換処理部１７を通ったＨＢＲオーディオ信号と、オーディオでコーダ部１５でデコードされたオーディオ信号の２種類であり、切換器１９によりいずれか一方がＨＤＭＩ  Ｔｘ７に供給される。なお、ＨＢＲオーディオ変換処理部１７を経由して直接ＨＤＭＩ  Ｔｘ７に出力されるオーディオストリームは、例えばＤｏｌｂｙ社が推奨する「Ｄｏｌｂｙ  Ｄｉｇｉｔａｌ  ｐｌｕｓ（ＤＤ＋）」や「Ｄｏｌｂｙ  ＴｒｕｅＨＤ」、ＤＴＳ社が推奨する「ＤＴＳ−ＨＤ  Ｈｉｇｈ  Ｒｅｓｏｌｕｔｉｏｎ  Ａｕｄｉｏ（ＤＴＳ−ＨＤ  ＨＩ  ＲＥＳ）」、「ＤＴＳ−ＨＤ  Ｍａｓｔｅｒ  Ａｕｄｉｏ（ＤＴＳ−ＨＤ  ＭＳＴＲ）」等に代表されるストリームであって、ビットストリーム出力である。
【００２８】
これらのビットストリーム出力（ＨＢＲオーディオ）は、それぞれＨＤＭＩ  Ｔｘ７に伝送する際のオーディオ出力フォーマットが規定されているが、図２に概略を示す通り、ＨＤ  ＤＶＤ規格Ｖｅｒ１．０では、ＨＤ  ＤＶＤのＶＭＧＩ（Ｖｉｄｅｏ  Ｍａｎｅｇｅｍｅｎｔ  Ｉｎｆｏｒｍａｔｉｏｎ，ビデオマネジメントインフォメーション）／ＶＴＳＩ（Ｖｉｄｅｏ  Ｔｉｔｌｅ  Ｓｅｔ  Ｉｎｆｏｒｍａｔｉｏｎ，ビデオタイトルセットインフォメーション（図９参照））のＡｕｄｉｏ  Ｓｔｒｅａｍ  Ａｔｔｒｉｂｕｔｅ（Ａｕｄｉｏ  Ｓｔｒｅａｍ  Ａｔｔｒｉｂｕｔｅ，オーディオストリームアトリビュート）に、    
「Ｄｏｌｂｙ  Ｄｉｇｉｔａｌ（ＤＤ）」と    
「Ｄｏｌｂｙ  Ｄｉｇｉｔａｌ  Ｐｌｕｓ（ＤＤ＋）」は、    
いずれも「ＤＤ＋」と記載されており、    
「ＤＴＳ  ｃｏｒｅ」、    
「ＤＴＳ−ＨＤ  Ｈｉｇｈ  Ｒｅｓｏｌｕｔｉｏｎ  Ａｕｄｉｏ」および    
「ＤＴＳ−ＨＤ  ＭＳＴＲ」は、    
いずれも「ＤＴＳ−ＨＤ」    
と記載されている。
【００２９】
このため、「ＤＤ＋」と「ＤＴＳ−ＨＤ」と記載されたオーディオストリームについては、ＨＢＲオーディオの出力フォーマットが必ずしも、適切に切り換えることができないことがある。
【００３０】
例えば、図３に概略を示すように、「ＤＴＳ−ＨＤ」のうち「ＤＴＳ−ＨＤ  Ｈｉｇｈ  Ｒｅｓｏｌｕｔｉｏｎ  Ａｕｄｉｏ」については、『ＤＴＳ  ｃｏｒｅ』と同一と判断され、オーディオストリームのオーディオフォーマットが、本来のフォーマットと異なるフォーマットでＨＤＭＩ  Ｔｘ７に送信されることがある。
【００３１】
この場合、ＨＤＭＩ  Ｔｘ７に接続される受信機器、例えばＡＶレシーバーに、オーディオストリームの名称が表示可能な表示領域、あるいはＬＥＤ等のマーカー類が用意されている場合、オーディオストリームの名称が正しく表示できないことがある。
【００３２】
これを解決するため、図４および図５（「Ｄｏｌｂｙ  Ｄｉｇｉｔａｌ」）、ならびに図６および図７（「ＤＴＳ−ＨＤ」）を用いて以下に説明するが、オーディオストリームのフォーマットを、エレメンタリストリーム（Ｅｌｅｍｅｎｔａｒｙ  Ｓｔｒｅａｍ）のヘッダー情報から判断することで、確実に切り替えることができる。
【００３３】
図４に示すように、選択されたオーディオストリームにおけるデータ構造内のヘッダー情報のうちの＜Ｐｌａｙｅｒアプリケーション＞が「Ｄｏｌｂｙ  Ｄｉｇｉｔａｌ  Ｐｌｕｓ」である場合に、実際の＜Ｅｌｅｍｅｎｔａｒｙ  Ｓｔｒｅａｍ＞が「Ｄｏｌｂｙ  Ｄｉｇｉｔａｌ」であるか「Ｄｏｌｂｙ  Ｄｉｇｉｔａｌ  Ｐｌｕｓ」であるかを検出することで、オーディオストリームのフォーマットを、確実に切り換えることが可能となる。    
図４に示すように、第１に、光ディスク内のデータ領域内のＶＴＳＩ（Ｖｉｄｅｏ  Ｔｉｔｌｅ  Ｓｅｔ  Ｉｎｆｏｒｍａｔｉｏｎ）のＶＴＳＩ＿ＭＡＴ（Ｖｉｄｅｏ  Ｔｉｔｌｅ  Ｓｅｔ  Ｉｎｆｏｒｍａｔｉｏｎ  Ｍａｎｅｇｅｍｅｎｔ  Ｔａｂｌｅ，図９）が参照され、さらにＶＴＳＩ＿ＭＡＴ内のＡｕｄｉｏ  ｓｔｒｅａｍ  ａｔｔｒｉｂｕｔｅ  ｔａｂｌｅ  ｏｆ  ＶＴＳ（オーディオストリームアトリビュートテーブル，図１０）が参照される。なお、図１１は、図１０に示したオーディオストリームアトリビュートテーブルの記載例を詳細に説明している。
【００３４】
ＶＴＳＩ＿ＭＡＴ内のオーディオストリームアトリビュートテーブルには、図２に示したエレメンタリストリーム（Ｅｌｅｍｅｎｔａｒｙ  Ｓｔｒｅａｍ）が記載されており、Ａｕｄｉｏ  Ｓｔｒｅａｍ  Ａｔｔｒｉｂｕｔｅ（オーディオストリームアトリビュート）が「Ｄｏｌｂｙ  Ｄｉｇｉｔａｌ  Ｐｌｕｓ」と記載されているオーディオストリームであっても、「Ｄｏｌｂｙ  Ｄｉｇｉｔａｌ」と「Ｄｏｌｂｙ  Ｄｉｇｉｔａｌ  Ｐｌｕｓ」とを、容易に識別できる。
【００３５】
すなわち、図４に示すように、ディスク内のデータ領域から「Ｅｌｅｍｅｎｔａｒｙ  Ｓｔｒｅａｍ」のｂｓｉ（図５参照）を参照し、ｂｓｉ内にｂｓｉｄが存在する場合、その大きさ（記載された数値）を取得する（Ｓ１１）。
【００３６】
取得したｂｓｉｄの数値（大きさ）が、「Ｄｏｌｂｙ  Ｄｉｇｉｔａｌ  Ｐｌｕｓ」を示す『ｍｏｒｅ  ｔｈａｎ  “０１０１０”（＝１０）  ａｎｄ  ｌｅｓｓ  ｔｈａｎ  “１００００”（＝１６）』である場合（図５（ｂ）参照）には（Ｓ１１−ＹＥＳ）、コンテンツのオーディオストリームのオーディオフォーマットが、『Ｄｏｌｂｙ  Ｄｉｇｉｔａｌ  Ｐｌｕｓ』であることから、ＨＤＭＩ  Ｔｘ７に出力するオーディオフォーマットは、『Ｄｏｌｂｙ  Ｄｉｇｉｔａｌ  Ｐｌｕｓ』に設定される（Ｓ１２）。
【００３７】
これに対し、ｂｓｉが「Ｄｏｌｂｙ  Ｄｉｇｉｔａｌ」を示す『ｌｅｓｓ  ｔｈａｎ  “０１０００”（＝８）』である場合（図５（ａ）参照）には（Ｓ１１−ＮＯ）、ＨＤＭＩ  Ｔｘ７に出力するオーディオフォーマットを、「Ｄｏｌｂｙ  Ｄｉｇｉｔａｌ」に切り換えることできる（Ｓ１３）。
【００３８】
このように、ＨＤ  ＤＶＤディスク内のデータ領域内のＶＴＳＩ＿ＭＡＴ内のオーディオストリームアトリビュートテーブル内のエレメンタリストリーム（Ｅｌｅｍｅｎｔａｒｙ  Ｓｔｒｅａｍ）の記載を参照することで、オーディオストリームのオーディオフォーマットが、本来のフォーマットと異なるフォーマットでＨＤＭＩ  Ｔｘ７に送信（出力）されることが防止できる。
【００３９】
図６は、選択されたオーディオストリームにおけるデータ構造内のヘッダー情報の＜Ｐｌａｙｅｒアプリケーション＞が「ＤＴＳ−ＨＤ」である場合に、実際の＜Ｅｌｅｍｅｎｔａｒｙ  Ｓｔｒｅａｍ＞のヘッダー情報が「ＤＴＳ  ｃｏｒｅ」、「ＤＴＳ−ＨＤ  Ｈｉｇｈ  Ｒｅｓｏｌｕｔｉｏｎ  Ａｕｄｉｏ」および「ＤＴＳ−ＨＤ  ＭＳＴＲ」のいずれであるか、を特定する方法の一例を示す。
【００４０】
図６に示すように、選択されたオーディオストリームにおけるデータ構造内のヘッダー情報の＜Ｐｌａｙｅｒアプリケーション＞が「ＤＴＳ−ＨＤ」である場合、第１に、光ディスク内のデータ領域内のＶＴＳＩ（Ｖｉｄｅｏ  Ｔｉｔｌｅ  Ｓｅｔ  Ｉｎｆｏｒｍａｔｉｏｎ）のＶＴＳＩ＿ＭＡＴ（Ｖｉｄｅｏ  Ｔｉｔｌｅ  Ｓｅｔ  Ｉｎｆｏｒｍａｔｉｏｎ  Ｍａｎｅｇｅｍｅｎｔ  Ｔａｂｌｅ，図９参照）が参照され、個々の「ＤＴＳ−ＨＤ」オーディオストリームのオーディオフォーマット（図７参照）がチェック（参照）される。
【００４１】
第１に、ＨＤ  ＤＶＤディスク内のデータ領域から「Ｅｌｅｍｅｎｔａｒｙ  Ｓｔｒｅａｍ」のヘッダー内のＣｏｒｅ  Ｅｘｔｅｎｓｉｏｎ  Ｍａｓｋ（図７参照、ストリーム内にどのような拡張データが収録されているかを示すフラグ）がチェックされ、内部に「ＸＬＬ（ＸＬＬは、ｖａｒｉａｂｌｅ  ｂｉｔ−ｒａｔｅ  ｌｏｓｓｌｅｓｓ  ｅｘｔｅｎｓｉｏｎ）」が存在するか否かが判定される（Ｓ２１）。
【００４２】
Ｃｏｒｅ  Ｅｘｔｅｎｓｉｏｎ  Ｍａｓｋ内部に「ＸＬＬ」が存在する場合（Ｓ２１−ＹＥＳ）、オーディオストリームのオーディオフォーマットが『ＤＴＳ−ＨＤ  Ｍａｓｔｅｒ  Ａｕｄｉｏ（ＤＴＳ−ＨＤ  ＭＳＴＲ）』であるので、ＨＤＭＩ  Ｔｘ７に出力するオーディオフォーマットは、『ＤＴＳ−ＨＤ  ＭＳＴＲ  （ＤＴＳ−ＨＤ  Ｍａｓｔｅｒ  Ａｕｄｉｏ）』に設定される（Ｓ２２）。
【００４３】
Ｃｏｒｅ  Ｅｘｔｅｎｓｉｏｎ  Ｍａｓｋ内部に「ＸＬＬ」が存在しない場合（Ｓ２１−ＮＯ）、Ｃｏｒｅ  Ｅｘｔｅｎｓｉｏｎ  Ｍａｓｋ内部に「ＸＸＣＨ（ＸＸＣＨは、６．１チャンネルを越えるサラウンドであることを示す）」、「Ｘ９６（９６は、サンプリングレートｆｓが４８ｋＨＺ×２であることを示す）」、または「ＸＢＲ（Ｒｅｓｏｌｕｔｉｏｎ  ｅｎｈａｎｃｅｍｅｎｔ  ｅｘｔｅｎｓｉｏｎ，Ｘの示す数値がビットレートを著し、ハイビットレートオーディオであることを示す」が存在するか否かが判定される（Ｓ２３）。
【００４４】
ステップＳ２３において、Ｃｏｒｅ  Ｅｘｔｅｎｓｉｏｎ  Ｍａｓｋ内部に「ＸＸＣＨ」、「Ｘ９６」あるいは「ＸＢＲ」のいずれかが存在する場合（Ｓ２３−ＹＥＳ）、オーディオストリームのオーディオフォーマットが『ＤＴＳ−ＨＤ  Ｈｉｇｈ  Ｒｅｓｏｌｕｔｉｏｎ  Ａｕｄｉｏ（ＤＴＳ−ＨＤ  ＨＩ  ＲＥＳ）』であるので、ＨＤＭＩ  Ｔｘ７に出力するオーディオフォーマットは、『ＤＴＳ−ＨＤ  ＨＩ  ＲＥＳ（ＤＴＳ−ＨＤ  Ｈｉｇｈ  Ｒｅｓｏｌｕｔｉｏｎ  Ａｕｄｉｏ）』に設定される（Ｓ２４）。
【００４５】
ステップＳ２３において、Ｃｏｒｅ  Ｅｘｔｅｎｓｉｏｎ  Ｍａｓｋ内部に「ＸＸＣＨ」、「Ｘ９６」および「ＸＢＲ」のいずれも存在しない場合（Ｓ２３−ＮＯ）、オーディオストリームのオーディオフォーマットが（通常の）『ＤＴＳ  ｃｏｒｅ』であることになるので、ＨＤＭＩ  Ｔｘ７に出力するオーディオフォーマットは、『ＤＴＳ  ｃｏｒｅ』に設定される（Ｓ２５）。
【００４６】
このように、ＨＤ  ＤＶＤディスク内のデータ構造内のヘッダー情報の実際の＜Ｅｌｅｍｅｎｔａｒｙ  Ｓｔｒｅａｍ＞のヘッダー情報を参照することで、オーディオストリームのオーディオフォーマットが、本来のフォーマットと異なるフォーマットでＨＤＭＩ  Ｔｘ７に送信（出力）されることが防止できる。
【００４７】
次に、図８を用いて、図４および図５あるいは図６および図７に示した選択されたオーディオストリームについて、実際に映像音声再生装置にセットされたＨＤ  ＤＶＤディスクを再生する際に、受信機器に対して出力するオーディオストリームのオーディオフォーマットを設定する方法の一例を示す。なお、図８は、オーディオストリームアトリビュート（Ａｕｄｉｏ  Ｓｔｒｅａｍ  Ａｔｔｒｉｂｕｔｅ）内にサブアトリビュート（Ｓｕｂ  Ａｔｔｒｉｂｕｔｅ）が規定されている場合において、サブアトリビュート内に規定されているオーディオフォーマットと図４〜図７を用いて説明した方法により取得したオーディオフォーマットとが一致しない（異なる）場合のオーディオフォーマットの設定についても説明している。
【００４８】
映像音声再生装置にＨＤ  ＤＶＤディスクがセットされ、図示しないリモート端末を介して（ユーザから）、コンテンツの再生が指示されると、ＶＴＳＩ（Ｖｉｄｅｏ  Ｔｉｔｌｅ  Ｓｅｔ  Ｉｎｆｏｒｍａｔｉｏｎ，ビデオタイトルセットインフォメーション（図９参照））／ＶＴＳ内のオーディオストリームアトリビュート（Ａｕｄｉｏ  Ｓｔｒｅａｍ  Ａｔｔｒｉｂｕｔｅ）に、サブアトリビュート（Ｓｕｂ  Ａｔｔｒｉｂｕｔｅ）が存在するか否かがチェックされる（Ｓ３１）。
【００４９】
なお、サブアトリビュート（Ｓｕｂ  Ａｔｔｒｉｂｕｔｅ）が存在する場合、図１２に示すように、オーディオストリームアトリビュートのオーディオコーディングモード（Ａｕｄｉｏ  Ｃｏｄｉｎｇ  Ｍｏｄｅ）内の記載が「Ｄｏｌｂｙ  Ｄｉｇｉｔａｌ  Ｐｌｕｓ」のみであったとしても、サブアトリビュートのオーディオコーディングモード（Ａｕｄｉｏ  Ｃｏｄｉｎｇ  Ｍｏｄｅ）には、『Ｄｏｌｂｙ  Ｄｉｇｉｔａｌ』と『Ｄｏｌｂｙ  Ｄｉｇｉｔａｌ  Ｐｌｕｓ（ＤＤ＋）』が明示されている。
【００５０】
また、ＤＴＳ社が推奨する「ＤＴＳ」についても、図１３に示すように、オーディオストリームアトリビュートのオーディオコーディングモード（Ａｕｄｉｏ  Ｃｏｄｉｎｇ  Ｍｏｄｅ）内の記載が「ＤＴＳ  ＨＤ」のみであったとしても、サブアトリビュートのオーディオコーディングモード（Ａｕｄｉｏ  Ｃｏｄｉｎｇ  Ｍｏｄｅ）には、『ＤＴＳ−ＨＤ  Ｈｉｇｈ  Ｒｅｓｏｌｕｔｉｏｎ  Ａｕｄｉｏ』と『ＤＴＳ−ＨＤ  ＭＳＴＲ』が明示されている。
【００５１】
Ｓｕｂ  Ａｔｔｒｉｂｕｔｅ（サブアトリビュート）は、詳細には、図１５に示すデータ領域内のＥＶＯＢＳ（Ｅｎｈａｎｃｅｄ  Ｖｉｄｅｏ  Ｏｂｊｅｃｔ  Ｓｅｔ）内に任意数用意されているＥＶＯ（Ｅｎｈａｎｃｅｄ  Ｖｉｄｅｏ  Ｏｂｊｅｃｔ）のそれぞれに規定されているＥＶＯＢＵ（Ｅｎｈａｎｃｅｄ  Ｖｉｄｅｏ  Ｏｂｊｅｃｔ  Ｕｎｉｔ）のそれぞれに設けられる複数のオーディオパック（Ａ＿ＰＣＫ）内のオーディオデータ（Ａｕｄｉｏ  ｄａｔａ）領域に、それぞれ、「Ａｕｄｉｏ  ｄａｔａ（ＤＤ＋）」すなわちオーディオフォーマットが「Ｄｏｌｂｙ  Ｄｉｇｉｔａｌ  Ｐｌｕｓ」または「Ｄｏｌｂｙ  Ｄｉｇｉｔａｌ」であることが示す記載（図１２参照）あるいは「Ａｕｄｉｏ  ｄａｔａ（ＤＴＳ＿ＨＤ）」すなわちオーディオフォーマットが「ＤＴＳ＿ＨＤ」／「ＤＴＳ＿ＨＤ  Ｈｉｇｈ  Ｒｅｓｏｌｕｔｉｏｎ  Ａｕｄｉｏ」／「ＤＴＳ−ＨＤ  ＭＳＴＲ」のいずれかであることが示す記載（図１３参照）として、規定されている。
【００５２】
従って、サブアトリビュートが存在しない場合（Ｓ３１−ＮＯ）、再生開始直後に、図４〜図７を用いて説明した方法により取得したオーディオフォーマットが、ＨＤＭＩ  Ｔｘ７に出力（送信）されるオーディオフォーマットとして選択される（Ｓ３２）。
【００５３】
一方、サブアトリビュートが存在する場合（Ｓ３１−ＹＥＳ）、先ず、ＨＤＭＩ  Ｔｘ７には、サブアトリビュートに記載されているオーディオフォーマットで、オーディオ信号を出力（送信）する（Ｓ３３）。
【００５４】
次に、サブアトリビュートに記載されているオーディオフォーマットとＥｌｅｍｅｎｔａｒｙ  Ｓｔｒｅａｍに基づいて設定された現在ＨＤＭＩ  Ｔｘ７に送信中のオーディオフォーマットとを比較（Ｓ３４）し、両者が一致しない場合には（Ｓ３４−ＮＯ）、図４および図５あるいは図６および図７により説明した方法すなわちエレメンタリストリーム（Ｅｌｅｍｅｎｔａｒｙ  Ｓｔｒｅａｍ）からオーディオフォーマットを設定）で取得したオーディオフォーマットで、オーディオ信号を出力する（Ｓ３２）。なお、両者が一致する場合は（Ｓ３４−ＹＥＳ）、サブアトリビュートに記載されているオーディオフォーマットによるオーディオ信号がＨＤＭＩ  Ｔｘ７に送信（出力）されることはいうまでもない（Ｓ３５）。
【００５５】
なお、サブアトリビュートに記載されるデータとしては、例えば図１４に示すようなデータを含む。
【００５６】
すなわち、図８に示した再生方法によれば、コンテンツの再生直前に、オーディオストリームのオーディオフォーマットが特定（設定）できるので、ＨＤＭＩ  Ｔｘ７に出力されるオーディオストリームが遅延することが防止される。また、もし、サブアトリビュートの記載がＥｌｅｍｅｎｔａｒｙ  Ｓｔｒｅａｍ（エレメンタリストリーム）に基づいて設定されたオーディオフォーマットと一致しない場合やサブアトリビュートの記載がないコンテンツであっても、既に取得済みの正しいオーディオストリーム情報に基づいて、正しいオーディオフォーマットのオーディオ信号が出力できる。
【００５７】
以上説明したように、この発明の実施形態の一つを用いることで、ＨＤ  ＤＶＤディスクからコンテンツを再生するプレーヤー装置（または記録も可能なレコーダー装置）において、ビットストリーム出力であるＨＢＲオーディオ（Ｈｉｇｈ−Ｂｉｔｓ  Ｒａｔｅ  Ａｕｄｉｏ）出力を、ＨＤＭＩ  インターフェースを用いてテレビ装置やオーディオアンプ等の受信機器に供給（出力）する場合、Ｄｏｌｂｙ社が推奨する［Ｄｏｌｂｙ  Ｄｉｇｉｔａｌ  ｐｌｕｓ（ＤＤ＋）］やＤＴＳ社が推奨する［ＤＴＳ−ＨＤ  Ｈｉｇｈ  Ｒｅｓｏｌｕｔｉｏｎ  Ａｕｄｉｏ（ＤＴＳ−ＨＤ  ＨＩ  ＲＥＳ）］／［ＤＴＳ−ＨＤ  Ｍａｓｔｅｒ  Ａｕｄｉｏ（ＤＴＳ−ＨＤ  ＭＳＴＲ）］等に代表されるＨＢＲオーディオ出力フォーマットを、本来のフォーマットに基づいて、適正に再生可能となる。
【００５８】
また、例えばＡＶレシーバー（オーディオアンプ）に、オーディオストリームの名称が表示可能な表示領域、あるいはＬＥＤ等のマーカー類が用意されている場合には、正確なオーディオストリームの名称を表示できる。
【００５９】
さらに、接続された機器の音声再生能力に合わせて、音声仕様（音声フォーマット）を設定する必要がなくなり、にコンテンツに含まれる最良のオーディオ出力が再生される。
【００６０】
なお、本発明は、上述のいずれかの実施の形態そのままに限定されるものではなく、実施段階ではその要旨を逸脱しない範囲で構成要素を変形して具体化できる。また、上記のいずれかの実施の形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００６１】
【図１】この発明の実施の形態の一例が適用可能な映像音声再生装置（プレーヤー装置）の一例を示す概略ブロック図。
【図２】ビットストリーム出力（ＨＢＲオーディオ（Ｄｏｌｂｙ社推奨））とディスク内の表示例を説明する概略図。
【図３】ビットストリーム出力（ＨＢＲオーディオ（ＤＴＳ社推奨））とディスク内の表示例を説明する概略図。
【図４】オーディオストリーム内のエレメンタリストリーム（Ｅｌｅｍｅｎｔａｒｙ  Ｓｔｒｅａｍ）を検出する方法の一例を示す概略図。
【図５】レメンタリストリーム（Ｅｌｅｍｅｎｔａｒｙ  Ｓｔｒｅａｍ）内に記載されているｂｓｉデータの一例を示す概略図（Ｄｏｌｂｙ社対応）。
【図６】オーディオストリームのデータ内のヘッダー情報からＨＢＲオーディオのオーディオフォーマットを検出する方法の一例を説明する概略図（ＤＴＳ社対応）。
【図７】オーディオストリームのデータ内のヘッダー情報に記載されているオーディオフォーマットの一例を示す概略図。
【図８】選択されたオーディオストリームについて、実際に映像音声再生装置にセットされたＨＤ  ＤＶＤディスクを再生する際に、受信機器に対して出力するオーディオストリームのオーディオフォーマットを設定する方法の一例を示す概略図。
【図９】ディスク内のデータ領域内のＶＴＳＩ（Ｖｉｄｅｏ  Ｔｉｔｌｅ  Ｓｅｔ  Ｉｎｆｏｒｍａｔｉｏｎ）のＶＴＳＩ＿ＭＡＴ（Ｖｉｄｅｏ  Ｔｉｔｌｅ  Ｓｅｔ  Ｉｎｆｏｒｍａｔｉｏｎ  Ｍａｎｅｇｅｍｅｎｔ  Ｔａｂｌｅ）の構成を示す概略図。
【図１０】ＶＴＳＩ＿ＭＡＴ（Ｖｉｄｅｏ  Ｔｉｔｌｅ  Ｓｅｔ  Ｉｎｆｏｒｍａｔｉｏｎ  Ｍａｎｅｇｅｍｅｎｔ  Ｔａｂｌｅ）内の記載例を示す概略図。
【図１１】ＶＴＳＩ＿ＭＡＴ内のオーディオストリームアトリビュートテーブル（Ａｕｄｉｏ  ｓｔｒｅａｍ  ａｔｔｒｉｂｕｔｅ  ｔａｂｌｅ  ｏｆ  ＶＴＳ）の記載例の構成を示す概略図。
【図１２】サブアトリビュート（Ｓｕｂ  Ａｔｔｒｉｂｕｔｅ）内のオーディオストリームアトリビュートのオーディオコーディングモード（Ａｕｄｉｏ  Ｃｏｄｉｎｇ  Ｍｏｄｅ）の記載例を示す概略図（Ｄｏｌｂｙ社対応）。
【図１３】サブアトリビュート（Ｓｕｂ  Ａｔｔｒｉｂｕｔｅ）内のオーディオストリームアトリビュートのオーディオコーディングモード（Ａｕｄｉｏ  Ｃｏｄｉｎｇ  Ｍｏｄｅ）の記載例を示す概略図（ＤＴＳ社対応）。
【図１４】サブアトリビュート（Ｓｕｂ  Ａｔｔｒｉｂｕｔｅ）内のオーディオストリームアトリビュートのオーディオコーディングモード（Ａｕｄｉｏ  Ｃｏｄｉｎｇ  Ｍｏｄｅ）に記載されるデータの例を示す概略図。
【図１５】Ｓｕｂ  Ａｔｔｒｉｂｕｔｅ（サブアトリビュート）を含むデータ領域内のＥＶＯＢＳ／ＥＶＯ／ＥＶＯＢＵのそれぞれに設けられる複数のオーディオパック（Ａ＿ＰＣＫ）内のオーディオデータ（Ａｕｄｉｏ  ｄａｔａ）領域の配列を示す概略図。
【符号の説明】
【００６２】
１…映像音声再生装置（プレーヤー装置）、３…ディスクドライブユニット、５…ユーザ操作入力部、７…ＨＤＭＩインタフェース部（ＨＤＭＩ  Ｔｘ）、９…主制御ブロック、１１…信号処理部（ＤＳＰ）１３…ビデオデコーダー部、１５…オーディオデコーダー部、１７…ＨＢＲオーディオ処理部、１９…切換器、２１…メインメモリ（ＳＤＲＡＭ）。
【図１】
2009111882.tif 000003
【図２】
2009111882.tif 000004
【図３】
2009111882.tif 000005
【図４】
2009111882.tif 000006
【図５】
2009111882.tif 000007
【図６】
2009111882.tif 000008
【図７】
2009111882.tif 000009
【図８】
2009111882.tif 000010
【図９】
2009111882.tif 000011
【図１０】
2009111882.tif 000012
【図１１】
2009111882.tif 000013
【図１２】
2009111882.tif 000014
【図１３】
2009111882.tif 000015
【図１４】
2009111882.tif 000016
【図１５】
2009111882.tif 000017